(57)【要約】【課題】ヒューズ溶断の報知手段の方式によるヒューズ装置の使い分けを不要とすると共に、狭い実装スペースで、簡便に可溶体溶断の報知と他の装置の動作を連動させることが可能なヒューズ装置を提供する。【解決手段】ヒューズ装置に、ヒューズ溶断時に展開するバネと、連動して動作する該バネと絶縁された接点及び、該バネと直接接触する接点の両方を内蔵することで、ヒューズ溶断の報知手段の方式（電源共通又は別電源）によるヒューズの使い分けを不要とすると共に、ヒューズ溶断の報知だけでなく、ヒューズの溶断に他の装置、例えば配線用遮断器（ＭＣＣＢ）を連動させることを可能とする。【選択図】図４
2012054117.tif 000002
【特許請求の範囲】
【請求項１】
一対の金属端子の間に可溶体が張設され、少なくとも金属端子の一方が可溶体が溶断することにより動作するバネ構造であり、バネ動作に連動して動作する接点を有するヒューズ装置に於いて、バネと絶縁された接点及び、バネと直接接触する接点を有することを特徴としたヒューズ装置。
【請求項２】
ヒューズ装置は、ヒューズと専用ホルダで構成され、バネと絶縁された接点及びバネと直接接触する接点の内、片方をヒューズに、他方を専用ホルダに有することを特徴とした請求項１記載のヒューズ装置。
【発明の詳細な説明】
【技術分野】
【０００１】
本発明は、可溶体が張設されたバネ構造の端子が可溶体の溶断により動作し、バネ構造の端子に連動して接点を開閉して可溶体の溶断を報知させるヒューズ装置に関する。
【背景技術】
【０００２】
従来、この種のヒューズ装置としては、バネの動作に連動して動作する、該バネと直接接触する接点を有する図１に示すようなヒューズ装置及び、バネの動作に連動して動作する、該バネと絶縁された接点を有する図２に示すようなヒューズ装置及び、バネの動作に連動して動作する、該バネと直接接触する接点を有するヒューズと、該バネと連動して動作する接点を持たない専用ホルダと組み合わせて使用する図３に示すようなヒューズ装置が知られている。
【０００３】
図１、図２及び図３に示すようなヒューズ装置が有するバネの動作に連動して動作する接点は、バネの動作に連動して動作する、バネと絶縁された接点又は、バネと直接接触する接点の何れか一方のみであった。
【先行技術文献】
【非特許文献】
【０００４】
【非特許文献１】実用新案登録第４１７５７４号（第２頁、第１図、第２図）
【非特許文献２】実用新案登録第５２２５１６号（第２頁、第１図、第２図）
【非特許文献３】実用新案登録第１３４７６８４号（第２頁、第４図、第３頁、第１１図）
【発明の概要】
【発明が解決しようとする課題】
【０００５】
このため、ヒューズ装置を使用する装置がヒューズ装置の可溶体の溶断を報知する時に、装置の主電源を使用する場合と報知用の別電源を使用する場合でヒューズ装置を使い分けを必要とするという問題がある。
【０００６】
また、可溶体の溶断の報知と併せて他の装置、例えば装置内にヒューズ装置と直列で挿入された配線用遮断器（ＭＣＣＢ）の電圧トリップ装置に接点を接続することで連動させる場合、二つのヒューズ装置を並列に挿入する、若しくはヒューズ装置とは別に可溶体の溶断と連動して報知する電気回路を構成するなどが必要であり、何れの場合も可溶体の溶断の報知にのみ使用する場合に比べて、広い実装スペースを必要とするという問題がある。
【０００７】
ヒューズ装置とは別に可溶体の溶断と連動して報知する電気回路を構成する場合は、電気回路が複雑になるという問題がある。
【０００８】
ヒューズ装置を並列に挿入する場合は、ヒューズの動作協調に関する専門的な知識を必要とするという問題がある。
【０００９】
本発明は、このような点に鑑みなされたもので、ヒューズ装置の使い分けを不要とすると共に、狭い実装スペースで簡便に可溶体溶断の報知と、ＭＣＣＢのトリップなど報知以外の動作を連動させることが可能なヒューズ装置を提供することを目的とする。
【課題を解決するための手段】
【００１０】
請求項１記載のヒューズ装置は、一対の金属端子の間に可溶体が張設され、少なくとも金属端子の一方が可溶体が溶断することにより動作するバネ構造であり、バネ動作に連動して動作する接点を有するヒューズ装置に於いて、可溶体が溶断するとバネが動作し、ばねの動作を利用して、バネと絶縁された接点に設けられた接点開閉用のスイッチを動作させることにより、バネと絶縁された接点をメイク又はブレイクさせると共に、バネの動作方向に配置したバネと直接接触する接点がバネの動作によりメイク又はブレイクするものである。
【００１１】
請求項２記載のヒューズ装置は、請求項1記載のヒューズ装置に於いて、ヒューズ装置を可溶体を有するヒューズと可溶体が溶断した際にヒューズを容易に交換する為の専用ホルダで構成し、バネと絶縁された接点及びバネと直接接触する接点の片方をヒューズに、他方を専用ホルダに有することを特徴としたヒューズ装置である。
【発明の効果】
【００１２】
請求項１記載の発明によれば、バネと絶縁された接点及びバネと直接接触する接点を設けることで、可溶体の溶断を装置の主電源を使用して報知する場合と報知用の別電源を使用する場合の何れの場合でも使用することが出来る。また、可溶体の溶断を報知するだけでなく、狭い実装スペースで簡便に可溶体の溶断に他の装置の動作、例えばＭＣＣＢのトリップを連動させるなどが出来る。
【００１３】
請求項２記載の発明によれば、バネと絶縁された接点及びバネと直接接触する接点の片方をヒューズに、他方を専用ホルダに設けることで、ヒューズ及び専用ホルダ内部の余剰なスペースを有効に活用することが出来、ヒューズと専用ホルダにより構成され、バネ動作に連動して動作する接点を一つだけ内蔵した従来のヒューズ装置と同等なサイズで実現できる。
【図面の簡単な説明】
【００１４】
【図１】従来のヒューズ装置の一実施形態を示す断面図である。
【図２】従来のヒューズ装置の一実施形態を示す断面図である。
【図３】従来のヒューズ装置の一実施形態を示す断面図である。
【図４】本発明に係るヒューズ装置の一実施形態を示す断面図である。
【発明を実施するための形態】
【００１５】
以下、本発明に係る電流ヒューズを、図４に示された一実施の形態に基いて詳細に説明する。
【００１６】
図４に示されたヒューズ装置1は、ヒューズ2及び専用ホルダ3で構成される。
【００１７】
ヒューズ2は、端子7にカシメあるいは溶接で固定されたバネ5と端子8にカシメあるいは溶接で固定されたバネ6の間に可溶体4が半田付けあるいはスポット溶接で張設され、過電流の通電などにより可溶体4が溶断すると、バネ5と直接接触する接点10を設けた端子9を有している。端子7、端子8、端子9は、ケース体12bから一端が突出する形でケース体12bにカシメなどで固定されている。
【００１８】
12bには図示しない係合凸が、12aには図示しない係合凹が設けられ、これら係合凸と係合凹が互いに係合することにより固定されケース体12を形成している。ケース体12aには、ヒューズが溶断しバネ5が動作したことをケース体12の外部から視認可能とする
表示孔11が設けられる。ケース体12bには、ヒューズ2を専用ホルダ3に挿入した際に、専用ホルダ3に設けられたにスイッチ17の突出部分が挿入されるスイッチ挿入穴13が設けられる。
【００１９】
端子7、端子8、端子9は、黄銅あるいはりん青銅から成る母材からつくられ、バネ5、バネ6は、りん青銅あるいはステンレス鋼からなる母材からつくられる。端子7、端子8、端子9、バネ5、バネ6は、表面にニッケルなどの図示しない金属がめっきなどの方法で被覆形成されている。
【００２０】
専用ホルダ3は、ケース体15aに設けられた端子挿入穴14にヒューズの端子7、端子8、端子9を挿入した際に、ヒューズの端子7、端子8、端子9と嵌合するホルダ端子16、バネ6の動作に連動して動作するスイッチ17、スイッチ17の動作に連動して動作するバネ6から絶縁された接点18が設けられている。
【００２１】
スイッチ17は、一端がケース体15aから突出する形で配置されている。バネ6から絶縁された接点18は、端子19にカシメあるいは溶接で固定されたバネ20と端子21から構成されている。
【００２２】
ホルダ端子16、端子19、端子21はケース体15bから一端が突出する形でカシメなどで固定されている。ケース体15aとケース体15bは、15bには図示しない係合凸が、15aには図示しない係合凹が設けられ、これら係合凸と係合凹が互いに係合することにより固定されケース体15を形成している。
【００２３】
ホルダ端子16、端子19、端子21は、黄銅あるいはりん青銅から成る母材からつくられ、バネ20は、りん青銅あるいはステンレス鋼からなる母材からつくられる。ホルダ端子16は、表面に金あるいは錫などの図示しない金属がめっきなどの方法で被服形成されている。端子19、端子21、バネ20は、表面にニッケルなどの図示しない金属がめっきなどの方法で被覆形成されている。
【００２４】
ヒューズ装置1は、バネ5と直接接触する接点10及びバネ6と絶縁された接点18の両方を有することで、可溶体の溶断を装置の主電源を使用して報知する場合と報知用の別電源を使用する場合の何れの場合でも使用することが出来る。また、可溶体の溶断を報知するだけでなく、狭い実装スペースで簡便に可溶体の溶断に他の装置の動作、例えばＭＣＣＢのトリップを連動させるなどが出来る。
【００２５】
又、ヒューズ装置1は、ヒューズ2にバネ5と直接接触する接点10を設け、専用ホルダ3にバネ6と絶縁された接点18を設けることで、ヒューズ及び専用ホルダ内部の余剰スペースを有効に活用することが出来、図３に示すようなばねと連動して動作する接点を一つだけ内蔵した従来のヒューズ装置と同等なサイズで、バネ5と直接接触す接点10及びバネ6と絶縁された接点18の両方を設けることが出来ると共に、ヒューズ溶断時のヒューズ交換を容易に行えるようになる。
【産業上の利用可能性】
【００２６】
本発明は、ヒューズの溶断有無を監視しているような装置に用いるヒューズ装置に利用可能である。
【図１】
2012054117.tif 000003
【図２】
2012054117.tif 000004
【図３】
2012054117.tif 000005
【図４】
2012054117.tif 000006